(57)【要約】      （修正有）【課題】圧力気体の充填時の錘体の振れを抑えることができる吸上げチューブ体を提供する。【解決手段】液体を収容するための容器本体及びこの容器本体の開口部に装着された噴霧ヘッドを備える噴霧器に用いる吸上げチューブ体。この吸上げチューブ体１０は、噴霧ヘッドに接続される吸上げチューブ２０と、この吸上げチューブ２０の先端部に取り付けられた錘体２２とを備えている。吸上げチューブ２０の一部にはジャバラ部２４が設けられ、ジャバラ部２４は吸上げチューブ２０の先端部２８まで延びている。また、錘体２２の少なくとも基部側は外径が漸増する流線形状に形成され、錘体２２の基端の外径Ｄ１は、ジャバラ部２４の山部の外径Ｄ２と実質上等しい又はこれよりも小さくなっている。【選択図】図３
2014166616.tif 000002
【特許請求の範囲】
【請求項１】
液体を収容するための容器本体及び前記容器本体の開口部に装着された噴霧ヘッドを備える噴霧器に用いる吸上げチューブ体であって、
前記噴霧ヘッドに接続される吸上げチューブと、前記吸上げチューブの先端部に取り付けられた錘体と、を備えており、
前記吸上げチューブの一部にはジャバラ部が設けられ、前記ジャバラ部は前記吸上げチューブの先端部まで延びており、
前記錘体の少なくとも基部側は基端から先端に向けて外径が漸増する流線形状に形成され、前記錘体の前記基端の外径は、前記吸上げチューブの前記ジャバラ部における山部の外径と実質上等しい又はこれよりも小さいことを特徴とする噴霧器に用いる吸上げチューブ体。
【請求項２】
前記錘体の前記基部側は前記基端から前記先端に向けて外径が漸増する流線形状に形成され、その先端側は先端に向けて外径が漸減する流線形状に形成されていることを特徴とする請求項１に記載の噴霧器に用いる吸上げチューブ体。
【請求項３】
前記錘体の外周面には、周方向に間隔をおいて複数の溝が設けられ、前記複数の溝は前記錘体の前記基端から先端に向けて延びていることを特徴とする請求項１又は２に記載の噴霧器に用いる吸上げチューブ体。
【請求項４】
前記錘体の外周面には、多数のディンプルが設けられていることを特徴とする請求項１又は２に記載の噴霧器に用いる吸上げチューブ体。
【請求項５】
前記吸上げチューブの前記ジャバラ部の先端と前記吸上げチューブに装着された前記錘体の基端との間隔は、０〜１５ｍｍであることを特徴とする請求項１〜４のいずれかに記載の噴霧器に用いる吸上げチューブ体。
【請求項６】
前記錘体の前記挿通孔の内周面には、周方向に間隔をおいて複数の食込み突部が設けられ、前記複数の食込み突部は、前記吸上げチューブの挿入方向に向けて径方向内方への突出量が漸増していることを特徴とする請求項１〜５のいずれかに記載の噴霧器に用いる吸上げチューブ体。
【請求項７】
前記吸上げチューブの先端部には、径方向外方に突出する環状突部が設けられ、前記錘体の前記挿通孔の前記内周面には、前記吸上げチューブの前記環状突部に対応して環状凹部が設けられ、前記錘体の前記環状凹部が前記吸上げチューブの前記環状突部に係合されることを特徴とする請求項１〜５のいずれかに記載の噴霧器に用いる吸上げチューブ体。
【請求項８】
液体を収容するための容器本体と、前記容器本体の開口部に装着された噴霧ヘッドとを備えた噴霧器であって、請求項１〜７のいずれかに記載の吸上げチューブ体が前記噴霧ヘッドに接続されていることを特徴とする噴霧器。
【発明の詳細な説明】
【技術分野】
【０００１】
本発明は、例えば水や消毒液、洗浄液などの液体を噴霧するための噴霧器及びこれに用いる吸上げチューブ体に関し、更に詳しくは、容器本体が倒立された使用状態でも液体を噴霧することができる噴霧器及びこれに用いる吸上げチューブ体に関する。
【背景技術】
【０００２】
従来より、例えば水や消毒液、洗浄液、殺虫液などの液体を噴霧するのに噴霧器が用いられている（例えば、特許文献１参照）。この噴霧器は、液体を収ための容器本体と、容器本体の開口部に装着された噴霧ヘッドと、この噴霧ヘッドに装着された吸上げチューブ体とを備え、この吸上げチューブ体は、噴霧ヘッドに接続された吸上げチューブと、吸上げチューブに装着された錘体とを有し、この吸上げチューブには、可撓性を有するジャバラ部が設けられている。
【０００３】
この噴霧器においては、容器本体を正立させた通常の使用状態（噴霧ヘッドが上側となる状態）では、錘体の自重により吸上げチューブ体の先端部が容器本体の底部に向けて延び、これにより吸上げチューブ体の先端部が容器本体の底部に溜まった液体に浸漬され、また容器本体を倒立させた使用状態（噴霧ヘッドが下側となる状態）では、錘体の自重により吸上げチューブ体のジャバラ部が湾曲され、これにより吸上げチューブ体の先端部が容器本体の噴霧ヘッド側に溜まった液体に浸漬される。このように吸上げチューブ体の先端部が容器本体内の液体に浸漬される故に、通常の使用状態においてのみならず、倒立の使用状態においても噴霧ヘッドから容器本体内の液体を噴霧することができる。
【０００４】
この噴霧器においては、容器本体内に噴霧すべき液体とともに圧力気体を充填したもの（所謂、スプレー缶タイプのもの）があり、このようなタイプの噴霧器では、噴霧ヘッドの押圧部を押圧操作すると、容器本体内の圧力気体の圧力を利用して液体が吸上げチューブ体を通して吸い上げられ、このように吸い上げられた液体が噴霧ヘッドの押圧部の噴霧口を通して噴霧される。
【先行技術文献】
【特許文献】
【０００５】
【特許文献１】特開２０１１−９２８３０号公報
【発明の概要】
【発明が解決しようとする課題】
【０００６】
しかしながら、上述したスプレー缶のような噴霧器では、容器本体内に圧力気体を充填する際に、充填される圧力気体が錘体の基端面に作用し、これよって、吸上げチューブ体のジャバラ部が弾性変形して錘体が大きく振れるおそれがある。錘体が大きく振れると、この錘体が容器本体の内面に当たり、圧力気体の充填時にカタカタと音が発生し、場合によっては容器本体に当たったときの打跡が残ったり、吸上げチューブ体が噴霧ヘッドから外れるという問題が発生する。
【０００７】
本発明の目的は、圧力気体の充填時の錘体の振れを抑えることができる吸上げチューブ体を提供することである。
【０００８】
また、本発明の他の目的は、圧力気体の充填時の錘体の振れを抑え、これによって錘体による音の発生を防止することができる噴霧器を提供することである。
【課題を解決するための手段】
【０００９】
本発明の請求項１に記載の吸上げチューブ体は、液体を収容するための容器本体及び前記容器本体の開口部に装着された噴霧ヘッドを備える噴霧器に用いる吸上げチューブ体であって、
前記噴霧ヘッドに接続される吸上げチューブと、前記吸上げチューブの先端部に取り付けられた錘体と、を備えており、
前記吸上げチューブの一部にはジャバラ部が設けられ、前記ジャバラ部は前記吸上げチューブの先端部まで延びており、
前記錘体の少なくとも基部側は基端から先端に向けて外径が漸増する流線形状に形成され、前記錘体の前記基端の外径は、前記吸上げチューブの前記ジャバラ部における山部の外径と実質上等しい又はこれよりも小さいことを特徴とする。
【００１０】
また、本発明の請求項２に記載の噴霧器に用いる吸上げチューブ体では、前記錘体の前記基部側は前記基端から前記先端に向けて外径が漸増する流線形状に形成され、その先端側は先端に向けて外径が漸減する流線形状に形成されていることを特徴とする。
【００１１】
また、本発明の請求項３に記載の噴霧器に用いる吸上げチューブ体では、前記錘体の外周面には、周方向に間隔をおいて複数の溝が設けられ、前記複数の溝は前記錘体の前記基端から先端に向けて延びていることを特徴とする。
【００１２】
また、本発明の請求項４に記載の噴霧器に用いる吸上げチューブ体では、前記錘体の外周面には、多数のディンプルが設けられていることを特徴とする。
【００１３】
また、本発明の請求項５に記載の噴霧器に用いる吸上げチューブ体では、前記吸上げチューブの前記ジャバラ部の先端と前記吸上げチューブに装着された前記錘体の基端との間隔は、０〜１５ｍｍであることを特徴とする。
【００１４】
また、本発明の請求項６に記載の噴霧器に用いる吸上げチューブ体では、前記錘体の前記挿通孔の内周面には、周方向に間隔をおいて複数の食込み突部が設けられ、前記複数の食込み突部は、前記吸上げチューブの挿入方向に向けて径方向内方への突出量が漸増していることを特徴とする。
【００１５】
また、本発明の請求項７に記載の噴霧器に用いる吸上げチューブ体では、前記吸上げチューブの先端部には、径方向外方に突出する環状突部が設けられ、前記錘体の前記挿通孔の前記内周面には、前記吸上げチューブの前記環状突部に対応して環状凹部が設けられ、前記錘体の前記環状凹部が前記吸上げチューブの前記環状突部に係合されることを特徴とする。
【００１６】
更に、本発明の請求項８に記載の噴霧器は、液体を収容するための容器本体と、前記容器本体の開口部に装着された噴霧ヘッドとを備えた噴霧器であって、請求項１〜７のいずれかに記載の吸上げチューブ体が前記噴霧ヘッドに接続されていることを特徴とする。
【発明の効果】
【００１７】
本発明の請求項１に記載の吸上げチューブ体によれば、噴霧ヘッドに接続された吸上げチューブの先端部に錘体が取り付けられ、この錘体の少なくとも基部側は基端から先端に向けて外径が漸増する流線形状に形成されているので、この吸上げチューブ体を採用した噴霧器では、圧力気体を充填する際に容器本体内に充填された圧力気体は、この錘体の基端から先端に向けてスムースに流れ、これによって、充填時の錘体の振れを抑えることができる。また、この錘体の基端の外径は、吸上げチューブのジャバラ部における山部の外径と実質上等しい又はこれよりも小さいので、ジャバラ部に沿って流れる圧力気体が錘体の端面に作用することがほとんどなく、これによって、充填時の錘体の振れを効果的に抑えることができ、打跡の発生、吸上げチューブの外れなどを防止することができる。
【００１８】
また、本発明の請求項２に記載の噴霧器に用いる吸上げチューブ体によれば、錘体の前基部側は基端から先端に向けて外径が漸増する流線形状に形成され、その先端側は先端に向けて外径が漸減する流線形状に形成されているので、充填された圧力流体は錘体の外面に沿って基端から先端にスムースに流れ、これによって、充填時の錘体の振れをより効果的に抑えることができる。
【００１９】
また、本発明の請求項３に記載の噴霧器に用いる吸上げチューブ体によれば、錘体の外周面に複数の溝が設けられ、これら溝は錘体の基端から先端に向けて延びているので、充填された圧力気体の一部はこれら溝内を下流側に、即ち錘体の基端から先端に向けて流れ、この圧縮気体の流れによって錘体の振れがより効果的に抑えられる。
【００２０】
また、本発明の請求項４に記載の噴霧器に用いる吸上げチューブ体によれば、錘体の外周面に多数のディンプルが設けられているので、これらディンプルによって、圧縮気体の充填時に発生しやすい錘体の振れを効果的に抑えることができる。
【００２１】
また、本発明の請求項５に記載の噴霧器に用いる吸上げチューブ体によれば、吸上げチューブのジャバラ部の先端と吸上げチューブに装着された錘体の基端との間隔が０〜１５ｍｍであるので、吸上げチューブのジャバラ部に沿って流れる圧力気体が錘体の基端面側に流込むことが少なく、これによって、圧力気体の充填時の錘体の振れを更に効果的抑えることができる。
【００２２】
また、本発明の請求項６に記載の噴霧器に用いる吸上げチューブ体によれば、錘体の挿通孔の内周面に複数の食込み突部が設けられ、これら食込み突部は、吸上げチューブの挿入方向に向けて径方向内方への突出量が漸増しているので、錘体の挿通孔を通して吸上げチューブを挿通すると、これら食込み部が吸上げチューブに食い込み、このようにして錘体を吸上げチューブの先端部の所定部位に装着することができる。
【００２３】
また、本発明の請求項７に記載の噴霧器に用いる吸上げチューブ体によれば、吸上げチューブの先端部に径方向外方に突出する環状突部が設けられ、錘体の挿通孔の内周面に吸上げチューブの環状突部に対応して環状凹部が設けられているので、錘体の挿通孔を通して吸上げチューブを挿通すると、錘体の環状凹部に吸上げチューブの環状突部が係合し、このように係合することによって、この錘体を吸上げチューブの先端部の所定部位に装着することができる。
【００２４】
更に、本発明の請求項８に記載の噴霧器によれば、請求項１〜７のいずれかに記載の吸上げチューブ体が噴霧ヘッドに接続されているので、圧力気体の充填時の錘体の振れを抑えて音の発生を防止することができる。
【図面の簡単な説明】
【００２５】
【図１】本発明に従う噴霧器の一実施形態を一部断面で示す部分断面図。
【図２】図１の噴霧器を倒立した使用状態で示す部分断面図。
【図３】図１の噴霧器における錘体及びその近傍を拡大して示す部分拡大断面図。
【図４】図３の錘体を示す右側面図。
【図５】図４中におけるＶ−Ｖ線による断面図。
【図６】錘体の第１の変形形態を示す左側面図。
【図７】図６におけるＶＩＩ−ＶＩＩ線による断面図。
【図８】錘体の第２の変形形態を示す正面図。
【図９】吸上げチューブ体の変形形態の一部を示す部分拡大断面図。
【発明を実施するための形態】
【００２６】
以下、添付図面を参照して、本発明に従う噴霧器の一実施形態について説明する。図１及び図２において、図示の噴霧器２は、例えば水や洗浄液、消毒液、殺虫液などの液体を収容するための容器本体４と、この容器本体４の開口部６に装着された噴霧ヘッド８と、噴霧ヘッド８から容器本体４内に延びる吸上げチューブ体１０とを備えている。
【００２７】
容器本体４の上端部には開口部６が設けられ、この開口部６の外周面には雄ねじ部（図示せず）が設けられている。また、噴霧ヘッド８には取付キャップ１２が取り付けられ、この取付キャップ１２の内周面には雌ねじ部（図示せず）が設けられ、その雌ねじ部を開口部６の雄ねじ部に螺着することによって、噴霧ヘッド８が容器本体４の開口部６に着脱自在に装着されている。
【００２８】
噴霧ヘッド８は、ヘッド本体１４と、ヘッド本体１４に内蔵されたポンプ（図示せず）と、ポンプを手動で作動させるためのトリガハンドル１６と、液体を外部に噴霧するためのノズル１８とを備えている。トリガハンドル１６を操作すると、ポンプ（図示せず）の作用によって容器本体４内の液体が吸上げチューブ体１０と通して吸い上げられ、かく吸い上げられた液体が噴霧ヘッド８から霧状となって噴霧される。このような噴霧ヘッド８としては、それ自体周知のものを用いることができる。
【００２９】
吸上げチューブ体１０は、液体を吸い上げるための吸上げチューブ２０と、この吸上げチューブ２０の先端部に装着された錘体２２とを備えている。吸上げチューブ２０は、可撓性を有する樹脂材料、例えばポリエチレン（低密度ポリエチレンなど）などから形成されている。この吸上げチューブ２０の一部にジャバラ部２４が設けられ、この形態では、吸上げチューブ２０の中間部から先端部にわたって延びている。このジャバラ部２４は可撓性を有し，後述するように大きく弾性変形するように構成されている。吸上げチューブ２０の他の部分（ジャバラ部２４を除く部分）、即ち基部２６及び先端部２８は、円筒状になっている。この吸上げチューブ２０の基端部は、噴霧ヘッド８に接続される。この実施形態では、吸上げチューブ２０の一部に長いジャバラ部２４を一つ設けている、このようなジャバラ部２４を吸上げチューブ２０の軸方向に間隔をおいて二つ以上設けるようにしてもよい。
【００３０】
図３〜図５をも参照して、錘体１４は錘本体３０を備え、この錘本体３０に軸方向（図３及び図５において左右方向、図４において紙面に垂直な方向）に貫通する挿通孔３２が設けられ、吸上げチューブ２０の先端部２８がこの挿通孔３２内に挿通され、錘体１４は、このようにして後述する如く吸上げチューブ２０に装着される。
【００３１】
この形態では、錘本体３０の挿通孔３２の内周面における先端側（図３及び図５において右端側）に、周方向に間隔をおいて複数（この形態では、６個）の食込み突部３４が設けられている。これら食込み突部３４は、挿通孔３２の径方向内方に突出し、それらの突出量は、矢印３６で示す吸上げチューブ２０の挿入方向（即ち、その基端側から先端側に向けて）に漸増するようにテーパ状に設けられている。このように構成されているので、吸上げチューブ２０の先端部２８を錘体２２の基部側（図３及び図５において左側）から挿通孔３２に挿通すると、複数の食込み突部３４がこの先端部２８の外周面に作用して食い込み、このように吸上げチューブ２０を挿通することによって、その先端部２８に錘体２２を装着することができ、またその装着をスムースに行うことができる。
【００３２】
吸上げチューブ２０のジャバラ部２４と錘体２２とは、次のように構成するのが望ましい。図３に示すように、錘体２２の外形に関し、錘本体３０の基部側（図３及び図５において左側）は、その基端から先端に向けて外径が漸増する流線形状に形成されている。錘体２２の基部側をこのように構成することによって、スプレー缶（圧力気体を充填した噴霧器）として利用する場合に、容器本体４内に圧力気体を充填する際に、充填した圧力気体が錘体２２の外面に沿ってスムースに流れ、これによって、充填時の錘体２２の振れを抑え、錘体２２が容器本体４の内面に当たるのを防止することができる。
【００３３】
この形態では、錘本体３０の先端側は先端に向けて外形が漸減する流線形状に形成されている。錘本体３０の先端側もこのような流線形状にすることによって、錘体２２の先端側においても圧力気体の流れがスムースとなり、充填時の錘体２２の振れを効果的に抑えることができるとともに、図１から理解されるように、通常の使用状態において吸上げチューブ２０の先端部２８が容器本体４の底部の角部までとどくようになり、また図２から理解されるように、倒立の使用状態において取付キャップ１２の内部までとどくようになり、容器本体４内の液体をほぼ全て噴霧することが可能となる。
【００３４】
この形態では、図３及び図５に示すように、錘本体３０の軸方向中央部を境に、その基部側においては先端に向けて外径が漸増する流線形状に、またその先端側においては先端に向けて外径が漸減する流線形状になっているが、流線形状の基部側と流線形状の先端側との間の中間部に外径が一定の円筒形状の部分を設けるようにしてもよい。
【００３５】
また、この錘体２２及び吸上げチューブ２０の形状に関し、錘本体３０の基端（基端面）の外径Ｄ１は、吸上げチューブ２０のジャバラ部２４の山部の外径Ｄ２と実質上等しい又はこれよりも小さくする（Ｄ１≦Ｄ２）のが好ましい。このように構成することによって、充填の際の圧力気体の大部分は、ジャバラ部２４の山部から錘本体３０の基端面側ではなく、錘本体３０の外周面側に流れるようになり、これによって、充填時の錘体２２の振れを抑えることができる。
【００３６】
このことに関連して、吸上げチューブ２０のジャバラ部２４の先端とこの吸上げチューブ２０に装着された錘体２２の基端との間隔Ｗは、約０〜１５ｍｍにするのが好ましく、約０〜１０ｍｍにするのがより好ましい。この間隔Ｗをこのように小さくすることによって、吸上げチューブ２０の山部から下流側に流れる圧力気体は錘本体３０の外周面側に流れ、この錘本体３０の基端面側に流れるのを少なくすることができる。
【００３７】
この実施形態では、錘本体３０の最大外径Ｄ３は、吸上げチューブ２０のジャバラ部２４の山部の外径Ｄ２よりも大きく（Ｄ３＞Ｄ２）形成されており、このように形成することによって、充填の際の圧力気体は、ジャバラ部２４の山部から錘体２２の外周面にスムースに流れるようになる。
【００３８】
また、吸上げチューブ２０の突出先端部の長さＬ（錘本体３０の先端から吸上げチューブ２０の先端までの距離）は、約３〜１５ｍｍにするのが好ましく、約５〜１０ｍｍにするのがより好ましく、この長さＬをこのようにすることによって、容器本体４内の液体をほとんど残ることなく噴霧することができる。
【００３９】
吸上げチューブ２０のジャバラ部２４及び錘体２２は、例えば、次の大きさに形成される。吸上げリューブ２０のジャバラ部２４に関し、ジャバラ部２４の山部の外径Ｄ２が約１０ｍｍに、また錘体２２に関し、錘本体３０の基端の外径Ｄ１が約８ｍｍに、錘本体３０の最大外径Ｄ３が約１２．５ｍｍに、錘本体３０の挿通孔３２の内径が約４．５ｍｍに、錘本体３０の長さが約１８ｍｍに形成される。
【００４０】
このような錘体２２は、耐薬品性などを考慮すると、セラミック、ガラス、陶器などから形成するのが好ましく、また吸上げチューブ２０のジャバラ部３４が後述するように大きく曲がるようにするために、その重量は、４〜８ｇ程度であるのが好ましい。
【００４１】
次に、噴霧器２の使用方法について説明すると、次の通りである。噴霧ヘッド８が上側になるようにして容器本体４が正立された通常の使用状態（図１参照）では、吸上げチューブ体１０は、錘体２２の自重により噴霧ヘッド８から下方に延びるようになり、吸上げチューブ２０の先端部２８は容器本体４の底部に溜まった液体Ｌに浸漬される。このような状態にて、トリガハンドル１６を操作すると、ポンプ（図示せず）の作用によって容器本体４内の液体Ｌが吸上げチューブ２０の先端部２８より吸上げられ、吸上げチューブ２０を通してこの吸上げられた液体Ｌはポンプを通してノズル１８から噴霧される。
【００４２】
また、噴霧ヘッド８が下側になるような倒立した使用状態（図２参照）では、錘体２２が自重により噴霧ヘッド８側に落下移動し、これによって、吸上げチューブ２０は、ジャバラ部２４にて略逆Ｕ字状に大きく湾曲され、吸上げチューブ２０の先端部２８は容器本体４の噴霧ヘッド８側に溜まった液体Ｌに浸漬される。このような状態にてトリガハンドル１６を操作すると、上述した通常の使用状態と同様に、容器本体４内の液体Ｌが吸上げチューブ２０の先端部２８から吸上げられ、この吸上げられた液体Ｌがポンプ（図示せず）を通してノズル１８から噴霧される。
【００４３】
尚、上述した説明では、容器本体４を正立又は倒立させて使用する場合について説明したが、容器本体４を斜めに傾けて使用する、或いは容器本体４を横向きにして使用する場合などであっても、トリガハンドルを操作することによって、上述したのと同様にしてノズル１８から噴霧することができる。
【００４４】
次に、図６を参照して、錘体の第１の変形形態について説明する。尚、以下の説明において、上述した実施形態と実質上同一の部材には同一の参照番号を付し、その説明を省略する。
【００４５】
図６において、この形態の錘体２２Ａでは、錘本体３０Ａの基部側は、基端から先端に向けて流線形状に形成されているが、その先端側は円筒状に形成され、その外径は、その中央部から先端まで一定（最大外径Ｄ３）となっている。
【００４６】
また、この錘本体３０Ａの外周面には、周方向に間隔をおいて複数の溝４２が設けられ、この形態では、周方向に実質上等間隔をおいて６個の溝４２が設けられている。これら溝４２は、錘本体４２の基端から先端まで直線状に延びている。これら溝４２の断面は、溝４２内に沿って圧力気体が流れ易いように円弧形状乃至半円形状などに形成される。この錘体２２Ａのその他の形態は、上述した錘体２２と実質上同一の構成でよい。
【００４７】
吸上げチューブ体の錘体としてこの錘体２２Ａを用いた場合、スプレー缶としての容器本体内に圧力気体を充填する際に、充填した圧力気体が錘体２２Ａの外面に沿って流れるとともに、その一部が複数の溝４２内を下流側に流れ、このような流れによって、錘体２２Ａの振れに対するバランスが保たれ、錘体２２Ａの振れをより効果的に抑えることができる。
【００４８】
次に、図８を参照して、錘体の第２の変形形態について説明する。図８において、この形態の錘体２２Ｂでは、上述した実施形態と同様に、錘本体３０Ｂの基部側は、基端から先端に向けて外径が漸増する流線形状に形成され、その先端側は、先端に向けて外径が漸減する流線形状に形成されているが、その外周面の全域に多数のディンプル５２（小さな凹部）が設けられている。これらのディンプル５２は、直径が２〜３ｍｍ程度の円形状のものでよい。この第２の変形形態の錘体２２Ｂのその他の構成は、上述した実施形態と実質上同一の構成でよい。
【００４９】
吸上げチューブ体の錘体としてこの錘体２２Ｂを用いた場合、スプレー缶としての容器本体内に圧力気体を充填する際に、多数のディンプル５２の作用によって、充填した圧力気体が錘体２２Ｂの外面に沿ってよりスムースに流れ、このように構成した場合においても、錘体２２Ｂの振れを効果的に抑えることができる。
【００５０】
尚、このようなディンプル５２は、図６及び図７に示す錘体２２Ａの外周面に、複数の溝４２に代えて設けることもできる。
【００５１】
次に、図９を参照して、吸上げチューブ体の変形形態について説明する。この変形形態では、錘体２２Ｃの装着位置が所定位置となるように改良が施されている。
【００５２】
図９において、この吸上げチューブ体１０Ｃにおいては、吸上げチューブ２０Ｃの先端部２８Ｃの所定部位に、径方向外方に突出する環状突部６２が設けられている。また、錘体２２Ｃの錘本体３０Ｃの挿通孔３２Ｃの内周面に、吸上げチューブ２０Ｃの環状突部６２に対応して環状凹部６４が設けられ、上述した複数の食込み突部は省略されている。
【００５３】
このような吸上げチューブ体１０Ｃにおいては、吸上げチューブ２０Ｃの先端部２８Ｃを錘体２２Ｃの挿通孔３２Ｃ内に挿通すると、その環状突部６２が錘本体３０Ｃ側の環状凹部６４に係合して所定部位に位置付けられ、このようにして錘体２２Ｃを吸上げチューブ２０Ｃの所定部位に取り付けることができる。
【００５４】
尚、この実施形態では、吸上げチューブ２０Ｃ側の環状突部６２及び錘体２２Ｃ側の環状凹部６４を一つずつ設けているが、これらを二つずつ以上設けるようにしてもよい。
【００５５】
以上、本発明に従う噴霧器及びこれに用いる吸上げチューブ体の実施形態について説明したが、本発明はかかる実施形態に限定されるものでななく、本発明の範囲を逸脱することなく種々の変形乃至修正が可能である。
【００５６】
例えば、上述した実施形態では、吸上げチューブ体をスプレー缶としての噴霧器に適用して説明したが、容器本体内に圧力気体を充填しない通常の噴霧器にも同様に適用することができる。
【符号の説明】
【００５７】
２  噴霧器
４  容器本体
６  開口部
８  噴霧ヘッド
１０，１０Ｃ  吸上げチューブ体
２２，２２Ａ，２２Ｂ，２２Ｃ  錘体
２４  ジャバラ部
３０，３０Ａ，３０Ｂ，３０Ｃ  錘本体
３２，３２Ｃ  挿通孔
３４  食込み突部
４２  溝
５２  ディンプル
６２  環状突部
６４  環状凹部
【図１】
2014166616.tif 000003
【図２】
2014166616.tif 000004
【図３】
2014166616.tif 000005
【図４】
2014166616.tif 000006
【図５】
2014166616.tif 000007
【図６】
2014166616.tif 000008
【図７】
2014166616.tif 000009
【図８】
2014166616.tif 000010
【図９】
2014166616.tif 000011